(57)【要約】  圧力支持装置により施される治療に対する患者の順守を高めさせる方法は、患者の複数の属性に関するデータをその時間情報と共に収集するステップ、データから睡眠に関連する事象の発生を決定するステップ、圧力支持装置の状態を決定するステップ、並びに前記発生を決定するステップ及び前記状態を決定するステップに応じて、患者に対する指示を与えるステップを有する。
2021529017.tif 000002
【特許請求の範囲】
【請求項１】
圧力支持装置により施される治療に対する患者の順守を高めさせる方法において、
前記患者の複数の属性に関するデータをその時間情報と共に収集するステップ、
前記データから睡眠に関連する事象の発生を決定するステップ、
前記圧力支持装置の状態を決定するステップ、並びに
前記発生を決定するステップ及び前記状態を決定するステップに応じて、前記患者に指示を与えるステップ
を有する、方法。
【請求項２】
前記患者の複数の属性に関するデータを収集するステップは、前記患者のアクチグラフ、心拍数及び／又は酸素飽和度の１つ以上に関するデータを収集することを有する、請求項１に記載の方法。
【請求項３】
前記睡眠に関連する事象の発生を決定するステップは、
前記患者の既定の就寝時間が既定の時間期間内に起こる、
前記患者が睡眠に向かって進んでいる、
前記患者が睡眠中である、及び／又は
前記患者が睡眠障害を経験している
ことの１つ以上を決定することを有する、請求項１に記載の方法。
【請求項４】
前記圧力支持装置の状態を決定するステップは、前記圧力支持装置が、
スイッチをオンにして、使用中である、又は
スイッチがオンにされていない
の一方であると決定することを有する、請求項１に記載の方法。
【請求項５】
前記圧力支持装置の状態を決定するステップは、前記圧力支持装置が、
前記患者の既定の近接範囲内にはない、
前記患者の既定の近接範囲内にあり、スイッチをオンにして、使用中である、又は
前記患者の既定の近接範囲内にはあるが、スイッチがオンにされていない
の１つであることを決定することを有する、請求項１に記載の方法。
【請求項６】
前記データから睡眠に関連する事象の発生を決定するステップは、前記患者による睡眠開始及び睡眠障害の発生を決定することを有する、前記圧力支持装置の状態を決定するステップは、前記圧力支持装置が使用中でないと決定することを有する、並びに前記発生を決定するステップ及び前記状態を決定するステップに応じて、前記患者に指示を与えるステップは、前記圧力支持援装置を使用するための聴覚警報を提供すること及び視覚警報を提供することを有する、請求項１に記載の方法。
【請求項７】
前記データから睡眠に関連する事象の発生を決定するステップは、前記患者の就寝時間が既定の時間期間内に起こると決定することを有する、前記圧力支持装置の状態を決定するステップは、前記圧力支持装置が既定の近接範囲内にはないと決定することを有する、及び前記患者に指示を与えるステップは、睡眠中に使用するために、前記圧力支持装置を取得するための視覚的リマインダを前記患者に表示することを有する、請求項１に記載の方法。
【請求項８】
前記データから睡眠に関連する事象の発生を決定するステップは、前記患者の就寝時間が第１の既定の時間期間内に起こると決定することを有する、前記圧力支持装置の状態を決定するステップは、前記圧力支持装置が既定の近接範囲内にあり、前記患者が他の既定の時間期間内に前記圧力支持装置を使用していないと決定することを有する、及び前記患者に指示を与えるステップは、前記圧力支持装置が定期的に使用されるべきであるという視覚的リマインダを前記患者に表示することを有する、請求項１に記載の方法。
【請求項９】
前記データから睡眠に関連する事象の発生を決定するステップは、前記患者の就寝時間が第１の既定の時間期間内に起こる、及び前記患者が睡眠に向かって進んでいると決定することを有する、前記圧力支持装置の状態を決定するステップは、前記圧力支持装置が使用中ではないと決定することを有する、並びに前記患者に指示を与えるステップは、聴覚警報、振動警報及び／又は視覚警報の１つ以上を前記ユーザに供給することを有する、請求項１に記載の方法。
【請求項１０】
圧力支持療法に対する患者の順守を高めさせるシステムにおいて使用するための外部装置において、前記外部装置は、
前記患者の１つ以上の属性を感知するように構成される複数のセンサ、
前記複数のセンサと通信する処理ユニット、
前記処理ユニットと通信する通信ユニットであり、圧力支持装置とワイヤレス通信するように構成される処理ユニット、並びに
視覚、聴覚及び／又は振動警報の１つ以上を前記患者に供給するように構成される出力装置を有し、
前記処理ユニットは、
前記患者の複数の属性に関するデータをその時間情報と共に収集する、
前記データから睡眠に関連する事象の発生を決定する、
前記圧力支持装置の状態を決定する、並びに
前記発生の決定及び前記状態の決定に応じて、前記出力装置を介して患者に指示を与える
ようにプログラムされる、外部装置。
【請求項１１】
前記通信ユニットは、Bluetooth（登録商標）を介して前記圧力支持装置とワイヤレス通信するように構成される、請求項１０に記載の外部装置。
【請求項１２】
圧力支持療法に対する患者の順守を高めさせるシステムであって、前記システムは、
圧力支持装置、及び
外部装置
を有し、前記外部装置は、
前記患者の１つ以上の属性を感知するように構成される複数のセンサ、
前記複数のセンサと通信する処理ユニット、
前記処理ユニットと通信する通信ユニットであり、前記圧力支持装置とワイヤレス通信する通信ユニット、並びに
聴覚警報及び／又は振動警報の１つ以上を患者に供給するように構成される出力装置
を備え、前記処理ユニットは、
前記患者の複数の属性に関するデータをその時間情報と共に収集する、
前記データから睡眠に関連する事象の発生を決定する、
前記圧力支持装置の状態を決定する、
前記発生の決定及び前記状態の決定に応じて、前記出力装置を介して患者に指示を与える
ようにプログラムされる、システム。
【請求項１３】
前記１つ以上の属性は、アクチグラフ又は心拍数の少なくとも１つを有する、請求項２０に記載の外部装置。
【請求項１４】
前記通信ユニットは、Bluetooth（登録商標）を介して前記圧力支持装置とワイヤレス通信するように構成される、請求項２０に記載の外部装置。
【発明の詳細な説明】
【技術分野】
【０００１】
本発明は、処方された治療に対する順守を高めさせるための方法に関し、特に、処方された圧力支持療法に対する順守を高めさせるための方法に関する。本発明は、そのような方法を実施する際に使用するためのシステムにも関する。
【背景技術】
【０００２】
多くの人々は、睡眠中の呼吸障害に苦しんでいる。睡眠時無呼吸は、世界中の何百万人もの人々が苦しんでいるこのような睡眠呼吸障害の一般的な例である。睡眠時無呼吸の１つの種類は、閉塞性睡眠時無呼吸（ＯＳＡ）であり、典型的には上気道又は咽頭領域である、気道の閉塞による呼吸不能により睡眠が繰り返し中断される状態である。気道の閉塞は一般的に、少なくとも一部は、上気道セグメントを安定させる筋肉の全般的な弛緩によるものであり、それにより組織が気道を崩壊させるためであると考えられている。もう一つの種類の睡眠時無呼吸症候群は、中枢性無呼吸であり、これは脳の呼吸中枢からの呼吸信号の欠如による呼吸停止である。閉塞性、中枢性又は閉塞性と中枢性との組み合わせである混合性を問わず、無呼吸状態は、呼吸の完全な停止又は略停止、例えば最大呼吸気流量の９０％以上の減少と定義される。
【０００３】
睡眠時無呼吸に苦しむ患者は、睡眠の断片化を体験し、潜在的に重度のオキシヘモグロビン不飽和化を伴う睡眠中の間欠的な換気の完全又は略完全な停止を体験する。これらの症状は、極度の日中の眠気、心不整脈、肺動脈性高血圧、うっ血性心不全及び／又は認知機能障害に臨床的に変換される可能性がある。睡眠時無呼吸の他の結果は、右心室機能不全、覚醒時及び睡眠時の二酸化炭素の停滞、並びに動脈血酸素分圧の連続的な低下が含まれる。睡眠時無呼吸患者は、これらの因子による過度の死亡のリスク、並びに運転中及び／又は潜在的に危険な機器の操作中の事故に対する高いリスクに曝される可能性がある。
【０００４】
患者が気道の完全又は略完全な閉塞に苦しんでいなくても、例えば睡眠からの覚醒のような悪影響は、気道の部分的な閉塞だけで起こり得ることも知られている。気道の部分的な閉塞は、典型的には低呼吸と呼ばれる浅い呼吸をもたらす。低呼吸は、典型的には、最大呼吸気流の５０％又はそれ以上の減少として定義される。他の種類の睡眠呼吸障害は、これらに限定されないが、上気道抵抗症候群（ＵＡＲＳ）及び一般にいびきと呼ばれる咽頭壁の振動のような気道の振動が含まれる。
【０００５】
患者の気道に持続陽圧呼吸（ＣＰＡＰ）を加えることにより睡眠呼吸障害を治療することはよく知られている。この陽圧は気道に効果的に"添え木(splint)"を当て、それにより肺への開放通路を維持する。患者に送出されるガスの圧力が患者の呼吸サイクルと共に変化する又は患者の呼吸努力と共に変化する陽圧療法を提供し、患者に対する快適性を高めることも知られている。この圧力支持技術はバイレベル圧力支持と呼ばれ、患者に送出される吸気気道陽圧（ＩＰＡＰ）は呼気気道陽圧（ＥＰＡＰ）よりも高い。例えば患者が無呼吸及び／又は低呼吸を経験しているかどうかのような、患者の検出された状態に基づいて、圧力が自動的に調整される陽圧療法を提供することも知られている。この圧力支持技術は、圧力支持装置が呼吸障害を治療するのに必要なだけ高い圧力を患者に供給しようとするので、自動滴定タイプの圧力支持と呼ばれる。
【０００６】
上述したような圧力支持療法は、患者の顔面上に柔らかく柔軟な封止クッションを有するマスク構成要素を有する患者インターフェース装置の配置を含む。マスク構成要素は、これらに限定されないが、患者の鼻を覆う鼻マスク、患者の鼻と口を覆う鼻／口マスク又は患者の顔を覆うフルフェイスマスクである。そのような患者インターフェース装置は、額支持体、頬パッド及び顎パッドのような他の患者接触構成要素を使用してもよい。患者インターフェース装置は通例、ヘッドギア構成要素により患者の頭部に固定される。患者インターフェース装置は、ガス送出チューブ又は導管に接続され、圧力支持装置を患者の気道と結び付けるので、呼吸ガス流が、圧力／フロー発生装置から患者の気道に送出され得る。
【発明の概要】
【発明が解決しようとする課題】
【０００７】
圧力支持療法を施すために使用される装置における多くの革新にもかかわらず、治療の順守は、そのような治療が処方される患者のかなりの部分とって課題のままである。
【課題を解決するための手段】
【０００８】
それに応じて、本発明の目的は、処方された圧力支持療法に対する順守を高めさせるシステム及び方法を提供することである。
【０００９】
本発明のある態様として、圧力支持装置により施される治療に対する患者の順守を高めさせる方法が提供される。この方法は、患者の複数の属性に関するデータをその時間情報と共に収集するステップ、前記データから睡眠に関連する事象の発生を決定するステップ、前記圧力支持装置の状態を決定するステップ、並びに前記発生の決定及び前記状態の決定に応じて、前記患者に指示を与えるステップを有する。
【００１０】
前記患者の複数の属性に関するデータを収集するステップは、患者のアクチグラフィ、心拍数及び／又は酸素飽和度の１つ以上に関するデータを収集することを有する。
【００１１】
前記睡眠に関連する事象の発生を決定するステップは、患者の既定の就寝時間が既定の時間期間内に起こること、患者が睡眠に向かって進んでいる(trailing)いること、患者が睡眠中であること及び／又は患者が睡眠障害を経験していることの１つ以上を決定することを有する。
【００１２】
前記圧力支持装置の状態を決定するステップは、スイッチをオンにして、使用中であること、又はスイッチをオンにしていないことの１つを決定することを有する。
【００１３】
前記圧力支持装置の状態を決定するステップは、圧力支持装置が、患者の既定の近接範囲内にないこと、患者の既定の近接範囲内にあり、スイッチをオンにして、使用中であること、又は患者の既定の近接範囲内にあるがスイッチをオンにしていないことの１つを決定することを有する。
【００１４】
前記データから睡眠に関連する事象の発生を決定するステップは、患者による睡眠開始及び睡眠障害の発生を決定することを有し、圧力支持装置の状態を決定するステップは、前記圧力支持装置は使用中でないと決定することを有し、前記発生を決定する及び状態を決定することに応じて、患者に指示を与えるステップは、圧力支持装置を使用するための、聴覚警報を提供すること及び視覚警報を提供することを有する。
【００１５】
データから睡眠に関連する事象の発生を決定するステップは、患者の就寝時間が既定の時間期間内に起こると決定することを有する、圧力支持装置の状態を決定するステップは、圧力支持装置が既定の近接範囲内にないと決定することを有する、及び患者に指示を与えるステップは、睡眠中に使用するために圧力支持装置を取得するための視覚的リマインダを患者に表示すること有する。
【００１６】
データから睡眠に関連する事象の発生を決定するステップは、患者の就寝時間が第１の既定の時間期間内に起こると決定することを有し、前記圧力支持装置の状態を決定するステップは、前記圧力支持装置が既定の近接範囲内にある、及び患者が他の既定の時間期間内に圧力支持装置を使用していないと決定することを有し、並びに患者に指示を与えるステップは、圧力支持装置が定期的に使用されるべきであるという視覚的リマインダを患者に表示することを有する。
【００１７】
データから睡眠に関連する事象の発生を決定するステップは、患者の就寝時間が第１の既定の時間期間内に起こること、及び患者が睡眠に向かって進んでいることを決定することを有する、前記圧力支持装置の状態を決定するステップは、圧力支持装置が使用中ではないと決定することを有する、並びに患者に指示を与えるステップは、聴覚警報、振動警報及び／又は視覚警報の１つ以上をユーザに提供することを有する。
【００１８】
本発明の他の態様として、圧力支持療法に対する患者の順守を高めさせるためのシステムにおいて使用するための外部装置が提供される。前記外部装置は、患者の１つ以上の属性を感知するように構成される複数のセンサ、前記複数のセンサと通信する処理ユニット、前記処理ユニットと通信する通信ユニットであって、前記圧力支持装置とワイヤレス通信するように構成される通信ユニット、並びに視覚、聴覚及び／又は振動警報の１つ以上を患者に供給するように構成される出力装置を有し、前記処理ユニットは、患者の複数の属性に関するデータをその時間情報と共に収集する、データから睡眠に関連する事象の発生を決定する、圧力支持装置の状態を決定する、並びに前記発生の決定及び前記状態の決定に応じて、出力装置を介して患者に指示を与えるようにプログラムされる。
【００１９】
通信ユニットは、Bluetooth（登録商標）を介して圧力支持装置とワイヤレス通信するように構成されてもよい。
【００２０】
本発明のさらに他の態様として、圧力支持療法に対する患者の順守を高めさせるためのシステムがある。このシステムは、圧力支持装置、並びに患者の１つ以上の属性を感知するように構成される複数のセンサ、複数のセンサと通信する処理ユニット、処理ユニットと通信し、圧力支持装置とワイヤレス通信する通信ユニット、並びに聴覚警報及び／又は振動警報の１つ以上を患者に供給するように構成される出力装置を有する外部装置を有する。前記処理ユニットは、患者の複数の属性に関するデータをその時間情報と共に収集する、前記データから睡眠に関連する事象の発生を決定する、圧力支持装置の状態を決定する、並びに前記発生の決定及び前記状態の決定に応じて、出力装置を介して患者に指示を与えるようにプログラムされる。
【００２１】
前記１つ以上の属性は、アクチグラフ又は心拍数の少なくとも１つを有する。
【００２２】
前記通信ユニットは、Bluetooth（登録商標）を介して圧力支持装置とワイヤレス通信するように構成される。
【００２３】
本発明のこれら及び他の目的、特徴並びに特性、構造の関連する要素の動作方法及び機能、並びに部品の組み合わせ及び製造の経済性は、添付の図面を参照して、以下の説明及び添付の特許請求の範囲を考察するとより明らかになり、これらの全てが本明細書の一部を形成し、様々な図面において、同様の参照番号は、対応する部品を示す。しかしながら、これら図面は単に例示及び説明のみを目的とし、本発明の限定の定義として意図されていないことを明確に理解されたい。
【図面の簡単な説明】
【００２４】
【図１】図１は、本発明の１つの例示的な実施例による圧力発生装置を有する気道圧力支持システムの部分概略図である
【図２】本発明の１つの例示的な実施例による、処方された圧力支持療法に対する順守を高めさせるための方法を実行する際に使用するためのシステムの概略図であり
【図３】図３は、本発明の１つの例示的な実施例による、圧力支持療法に対する患者の順守を高めさせるための方法を示すフローチャートである。
【発明を実施するための形態】
【００２５】
必要に応じて、本発明の詳細な実施例が本明細書に開示されるが、開示される実施例は、単なる本発明の例示であり、これは様々な形態で実施されることを理解されたい。従って、本明細書に開示される特定の構造及び機能の詳細は、限定として解釈されるべきではなく、単に特許請求の範囲の基礎として、及び実質的に如何なる適切な詳細な構造で本発明を様々に使用することを当業者に教示するための代表的な基礎として解釈されるべきである。
【００２６】
明細書において、特に文脈上はっきりと述べていない限り、複数あると述べていなくても、それらが複数あることを含む。明細書において、「及び／又は」は、そのような言葉により分離される要素の一方又は両方を意味するものとする（例えば、Ａ及び／又はＢは、Ａ、Ｂ又はＡ及びＢの両方を意味する）。明細書において、２つ以上の部品又は構成要素が「結合される」と述べることは、連動している限り、これらの部品が直接的に又は間接的に、すなわち１つ以上の中間部品若しくは構成要素を介しての何れかにより接合される又は共に動作することを意味している。明細書において、「直接的に結合される」は、２つの要素が互いに直に接していることを意味している。明細書において、「固定して結合される」又は「固定される」は、２つの構成要素が互いに対し一定の方向を維持するように結合されることを意味している。明細書において、「選択的に結合される」は、構成要素が、これら構成要素の何れも損傷することなく、予測可能であり反復的な可能な方法で、容易に結合又は分離されることを可能にすることを意味している。明細書において特に説明されない限り、単に「結合される」として記載される如何なる構成要素も、本発明の範囲から外れることなく、「固定的に」又は「選択的に」結合されてもよい。
【００２７】
明細書において、「ユニタリ(unitary)」という言葉は、構成要素が単一ピース又は単一ユニットとして作られることを意味している。すなわち、別々に作られ、その後ユニットとして連結される部分を含んでいる構成要素は、"ユニタリ"な構成要素又は本体ではない。明細書において、２つ以上の部品又は構成要素が互いに「係合する」と述べることは、これらの部品が互いに向けて直接的に又は１つ以上の中間部品若しくは構成要素を介しての何れかにより力を及ぼしていることを意味している。明細書において、"数字"は、１又は１より大きい整数（すなわち複数）を意味する。
【００２８】
明細書において、例であり限定ではない方向の表現は、頂部、底部、左側、右側、上方、下方、前方、後方及びそれらの派生語は、図面に示される要素の方位に関連し、特に明瞭に言わない限り、請求項を制限しない。
【００２９】
本発明のある特定の非限定的である例示的な実施例の一部として用いられる例示的な気道圧力支持システム２を図１に示す。気道圧力支持システム２は、送風機アセンブリ６を収容する圧力支持装置４を含み、その例は、以下にさらに詳細に説明される。送風機アセンブリ６は、圧力支持装置４の一部として設けられたろ過吸気口８を介して周囲雰囲気から一般的に矢印Ｃで示される呼吸ガスを受け取り、患者回路１２、１４を介して患者１０に圧力補償を提供するための圧力を生成するために、相対的に高い圧力及び低い圧力、すなわち一般的に周囲大気圧に等しい又はそれ以上の圧力で患者１０の気道に送出するための呼吸ガス流を生成する。例示的な実施例において、送風機アセンブリ６は、２〜３０ｃｍＨ２Ｏの圧力範囲の呼吸ガス流を提供することができる。送風機アセンブリ６からの加圧された呼吸ガス流は、一般的に矢印Ｄで示され、送出導管１２を介して、任意の既知の構造の呼吸マスク又は患者インターフェース１４に送出され、この呼吸マスク又は患者インターフェース１４は、患者１０により着用されるか、さもなければ患者１０に取り付けられ、呼吸ガス流を患者１０の気道に伝える。送達導管１２及び患者インターフェース装置１４は通例、総称して患者回路と呼ばれる。
【００３０】
図１に示される圧力支持システム２は、単一リムシステムとして知られているものであり、前記患者回路が、患者１０を圧力支持システム２に接続する送出導管１２のみを有することを意味する。そのようなものとして、排気口１６は、矢印Ｅで示されるように、呼気ガスをシステムから放出するために送出導管１２内に設けられる。排気口１６は、送出導管１２に加えて又はその代わりに、例えば患者インターフェース装置１４内のような他の場所に設けることができることに留意されたい。排気口１６は、ガスを圧力支持システム２から放出する所望の方法に応じて、多種多様な構成を有することができることも理解されるべきである。
【００３１】
本概念はまた、圧力支持システム２が、患者１０に接続される送出導管及び排出導管を有する２肢システムも可能であり得ることを意図する。（デュアルリムシステムとも呼ばれる）２肢システムにおいて、排出導管は、患者１０からの排気ガスを運び、患者１０から遠位の端部に排気弁を有する。そのような実施例における排気弁は通例、システム内を所望のレベル又は圧力に維持するように能動的に制御され、これは一般に、呼気終末陽圧（ＰＥＥＰ）として知られている。
【００３２】
その上、図１に示される例示的な実施例において、患者インターフェース１４は鼻／口マスクである。しかしながら、患者インターフェース１４は、鼻マスク、鼻枕、気管チューブ、気管内チューブ又は適切なガス流伝達機能を備える他の如何なる装置を有することができると理解されるべきである。また、本発明の目的のために、「患者インターフェース」という言葉は、送達導管１２及び加圧された呼吸ガスの供給源を患者１０に結合する他の如何なる構造も有することができる。
【００３３】
例示される実施例において、圧力支持システム２は、圧力支持装置４のハウジング内に設けられた内部の送出導管２０内に設けられるバルブ１８形式の圧力制御器を有する。バルブ１８は、患者１０に送出される、送風機アセンブリ６からの呼吸ガス流の圧力を制御する。この目的のために、送風機アセンブリ６及びバルブ１８は、患者１０に送出されるガスの圧力及び／又はガス流を生成及び制御するように協調して機能するので、総称して圧力発生システムと呼ばれる。しかしながら、例えば送風機組立体６の速度を単独で又は圧力制御バルブと組み合わせて変化させるような、患者１０に送出されるガスの圧力を制御するための他の技術が、本発明により考慮されることは明らかである。故に、バルブ１８は、患者１０に送出される呼吸ガス流の圧力を制御するのに使用される技術に応じて、任意選択である。
バルブ１８が除外される場合、圧力発生システムは、送風機アセンブリ６単独に対応し、患者回路内のガスの圧力は例えば、送風機アセンブリ６の速度を制御することによって制御される。
【００３４】
圧力支持システム２は、送出導管２０及び送出導管１２内の呼吸ガスの流量を測定する流量センサ２２をさらに有する。図１に示される特定の実施例において、流量センサ２２は、送出導管２０及び１２と一列に、最も好ましくはバルブ１８の下流側に置かれる。圧力支持システム２は、送出導管２０内の加圧された流体の圧力を検出する圧力センサ２８をさらに有する。流量センサ２２により流量が測定される、及び圧力センサ２８により圧力が測定される地点は、圧力支持装置４内にあるとして例示されているが、実際の流量及び圧力の測定が行われる位置は、送出導管２０又は１２に沿ったどこの場所でもよいことが理解されるべきである。流量センサ２２により測定される呼吸ガスの流量及び圧力センサ２８により検出される圧力は、患者１０におけるガスの流量（ＱＰＡＴＩＥＮＴ）を決定するために処理ユニット２４に供給される。
【００３５】
処理ユニット２４は例えば、マイクロプロセッサ、マイクロコントローラ又は他の何らかの適切な処理装置とすることができる処理部と、処理部の内部にある又は処理部に動作可能に結合することができ、圧力支持システム２の動作を制御するための処理部により実行可能なデータ及びソフトウェアのための記憶媒体を備えるメモリ部とを有する。処理ユニット２４は、例えば上述したような１つ以上のセンサの出力を受信するように構成され、これらセンサは、圧力支持療法の有効性に関連するデータを収集するように構成される。処理ユニット２４は、圧力支持療法が患者に施されている間に前記センサの出力を分析して、患者回路内の患者の気流及び圧力波形を決定するように構成されている。
【００３６】
入力／出力装置２６は、圧力支持システム２により使用される様々なパラメータを設定するため、並びに情報及びデータを臨床医又は介護者などのユーザに表示及び出力するために設けられる。
【００３７】
本発明のある例示的な実施例による、処方された圧力支持療法に対する順守を増大させるための方法を実行する際に使用するための例示的なシステム３０が、図２に概略的に示されている。システム３０は、例えば図１に関連して上述した圧力支持装置４及びその処理ユニット２４のような、処理ユニット３４を有する圧力支持装置３２、及びこの圧力支持装置３２の処理ユニット３４とワイヤレス通信(例えば、これに限定されないが、Bluetooth（登録商標）を介して)する外部装置３６を有する。本発明の例示的な実施例において、外部装置は、例えばスマートウォッチ(例えば、限定はしないが、FitBit或いは同様の装置)又は他の適切なウェアラブルな装置(例えば、リング、ネックレス等)のようなウェアラブルなスマートデバイスである。外部装置３６は、装置を着用している患者の１つ以上の属性（例えばアクチグラフ、心拍数、ＳｐＯ２、位置（例えばＧＰＳ座標など））を、このようなデータに関する関連する時間情報と共に感知するための複数のセンサ３８、複数のセンサ３８からデータを受信するための処理ユニット４０、他の電子装置（例えば圧力支持装置３２の処理ユニット３４）と（例えば、Bluetooth（登録商標）を介して）ワイヤレス通信するための処理ユニット４０と通信する通信ユニット４２、並びに患者に視覚的、聴覚的及び／又は振動的な警告の１つ以上を供給するように構成される出力装置４４を有する。処理ユニット４０は例えば、マイクロプロセッサ、マイクロコントローラ又は他の如何なる適切な処理装置とすることができる処理部と、処理部の内部にある又は処理部に動作可能に結合することができ、外部装置３６の動作を制御するために処理部により実行可能なデータ及びソフトウェアのための記憶媒体を提供するメモリ部とを有する。
【００３８】
システム３０について説明したが、システム３０の外部装置３６が患者に（例えば時計、ネックレス等の形式で）配置される、システム３０の圧力支持装置３２により提供される処方された圧力支持療法に対する患者による順守を高めさせるための、本発明の例示的な実施例による一般的な方法１００の一例が、図３に関連して以下に説明される。方法１００は、１０２で始まり、ここで患者の複数の属性に関するデータが、外部装置３６の複数のセンサ３８により感知／収集される。上述したように、上記データは、患者のアクチグラフィ、心拍数及び／又は酸素飽和度の１つ以上であり、その時間情報も共に含む。次に、１０２において収集されたデータは、１０４に示されるような１つ以上の睡眠に関連する事象の発生を決定するために、処理ユニット４０により分析される。上記事象は例えば、既定の就寝時間が近づいている（例えば、限定ではないが、患者又は介護者により指定される患者の通例の就寝時間まで１時間）、予想される（圧力支持装置３２により観測された以前の就寝時間から決定されてもよい）就寝時間、（例えば、心拍変動及び／又はアクチグラフが患者は眠りについたことを示す）睡眠開始及び／又は（例えば心拍変動／心拍の増加、アクチグラフ及び／又は酸素飽和度低下が可能性のある睡眠時無呼吸を示す）睡眠障害を有してもよい。
【００３９】
１０４において、睡眠事象の発生が概ね同時に（すなわち、直前、最中又は直後に）決定され、１０６に示されるように、外部装置３６と圧力支持装置３２との間のワイヤレス接続を介して、圧力支持装置３２の状態が決定される。そのような圧力支持装置３２の決定された状態は、圧力支持装置が、（例えば、ＧＰＳを介して、共通の無線ネットワークを検出することを介して、Bluetooth（登録商標）を介して）外部装置３６、故に外部装置３６を装着している患者が既定の近接範囲内にいない、スイッチを入れ、使用していると同時に、外部装置３６、故に患者が既定の近接範囲内にいる、又は患者が既定の近接範囲内にいるがスイッチを入れてないことである。加えて、例えばスマートフォンのアプリケーション又は他の適切な配置追跡の使用を介して、圧力支持装置が既定の時間期間（例えば、１週間）内に使用されたかどうかが決定されてもよい。
【００４０】
最後に、１０８に示されるように、外部装置３６の出力装置４４を介して患者に指示が与えられる。そのような指示は例えば、ディスプレイ上に提供される視覚指示、スピーカにより提供される音声指示、振動指示、上述したものの１つ以上の組み合わせ又はメッセージ或いはその緊急性に応じた他の如何なる適切な指示とすることができる。
【００４１】
一般的な方法１００について説明したが、これらの幾つかのさらに詳細な例示的な実施例は、引き続き図３を参照しながら説明する。
【００４２】
本発明のある実施例による第１の例において、患者による睡眠開始及び睡眠障害の発生が１０４において決定される。次いで、１０６において、圧力支持装置が使用されていないことが決定され、従って、１０８において、（患者の注意を引くための）聴覚警報及び（患者に圧力支持装置を使用することを知らせるための）視覚警報が患者に提供される。
【００４３】
本発明のある実施例による他の例において、１０４において、患者の就寝時間が既定の時間期間内に起こると決定される。次に、１０６において、圧力支持装置が既定の近接範囲内にはないと決定され、それに応じて、１０８において、睡眠中に使用するための圧力支持装置を得るために、患者に視覚的なリマインダが提供される。
【００４４】
本発明のある実施例による他の例において、１０４において、患者の就寝時間が第１の既定の時間期間内に起こると決定される。次に、１０６において、圧力支持装置は既定の近接範囲内にある、及び患者は他の既定の時間期間内に圧力支持装置を使用していないと決定される。次いで、患者は、圧力支持装置が定期的に使用されるべきであるという視覚的なリマインダが提供される。
【００４５】
本発明のある例示的な実施例による他の例において、１０４において、患者の就寝時間が第１の既定の時間期間内に起こる、及び患者は睡眠に向かって進んでいると決定される。次に、１０６において、圧力支持装置は使用されていないと決定される。次いで、１０８において、患者は、聴覚警報、振動警報及び／又は視覚警報の１つ以上が提供される。
【００４６】
上述したことから、本発明の実施例は、順守を改善する、及び（例えば、「忘れた」、「ソファーで寝た」、「圧力支持装置を付けずにベッドで読書をしていたら寝た」等の）患者が自分の圧力支持装置を使用しないことに共通する故障モード（言い訳）の幾つかを取り除くことを理解されたい。患者にとっての利益は、より良い夜の睡眠、患者の圧力支持装置の使用のより良い実施及び継続性を含み、これは、圧力支持療法の順守の既知の健康結果(すなわち、血圧の低下、活力の増大、日中の注意力、心臓病の可能性の減少等)につながる。
【００４７】
本出願に記載される特徴は、うっとうしく、患者が簡単に無視する"間抜け(dumb)"な設定のリマインダという他の概念（例えば、毎晩１１ｐｍに設定される「ＣＰＡＰを付けてください」と言うアラーム）を改善する。代わりに、本発明の実施例は、ユーザがそれを最も必要とする可能性が高い（すなわち、患者がＰＡＰを着用してなく、睡眠しようとしている）ときに、実用的な助言を提供する（すなわち、ＰＡＰが使用可能であるときにのみ、ユーザに警告する）、及びユーザがその助言を受け入れる可能性が高いときに（例えば、患者が実際に睡眠中であるとき、又は患者がＳＤＢ事象により眠りから覚めた後に）行うことができる。
【００４８】
本発明は、最も実用的で好ましい実施例であると現在考えられるものに基づいて、例示を目的に詳細に説明されているが、そのような詳細は、単にその目的のためだけであること、及び本発明は、開示された実施例に限定されるのではなく、それどころか添付の特許請求の範囲の主旨及び範囲内にある修正及び同等の構成を包含することが意図されることを理解されるべきである。例えば、本発明は、可能な限り、何れかの実施例の１つ以上の特徴が、他の何れかの実施例の１つ以上の特徴と組み合わされ得ることを意図することが理解されるべきである。
【００４９】
請求項において、括弧の間に付された参照記号は、請求項を限定するものと解釈されない。「有する」又は「含む」という言葉は、請求項に列挙された以外の要素又はステップの存在を排除するものではない。幾つかの手段を列挙している装置の請求項において、これらの手段の幾つかがハードウェアの同一のアイテムにより具現化されてもよい。要素が複数あることを述べなくても、そのような要素が複数あることを排除するものではない。幾つかの手段を列挙している如何なる装置の請求項において、これらの手段の幾つかがハードウェアの同一のアイテムにより具現化されてもよい。特定の要素が相互に異なる従属請求項に記載されているという単なる事実は、これらの要素が組み合わせて使用されることができないことを示すものではない。
【図１】
2021529017.tif 000003
【図２】
2021529017.tif 000004
【図３】
2021529017.tif 000005
【国際調査報告】
2021529017.tif 000006
2021529017.tif 000007